(57)【要約】【課題】ソレノイドのＯＦＦ状態において、開閉片を開放位置にロックし得るようにしたパチンコ遊技機を提供する。【解決手段】入賞口２０の側部位置に開放ロック片３２を側方移動可能に配設し、該開放ロック片３２を、入賞口２０側への移動操作により開放位置にある開閉片２１の上面に当接させて該開閉片２１を開放位置にロックする進出位置と、該進出位置からの外側方への移動操作により開閉片２１上から退避する退避位置とに変換可能に設けた。これにより、開放ロック片３２を進出位置に変換すれば、開閉片２１を開放位置にロックすることができるため、入賞口２０への遊技球の投入作業や、入賞口２０内のスイッチの故障や誤作動等の復旧作業を両手で行うことができる。【選択図】  図４
2004194853.tif 000002
【特許請求の範囲】
【請求項１】
入賞口に前後方向に沿って起倒可能に設けられた開閉片が、前方回動駆動により傾倒して入賞口を開放する開放位置と、該開放位置からの後方回動駆動により起立して入賞口を閉鎖する閉鎖位置とに変換制御される可変入賞装置を備えてなるパチンコ遊技機において、
前記入賞口の側部位置に開放ロック片を側方移動可能に配設し、該開放ロック片を、入賞口側への移動操作により開放位置にある開閉片の上面に当接させて該開閉片を開放位置にロックする進出位置と、該進出位置からの外側方への移動操作により開閉片上から退避する退避位置とに変換可能に設けたことを特徴とするパチンコ遊技機。
【請求項２】
開放ロック片を側方回動可能に配設し、該開放ロック片を、入賞口側への回動操作により開放位置にある開閉片の上面に当接させて該開閉片を開放位置にロックする進出位置と、該進出位置からの外側方への回動操作により開閉片上から退避する退避位置とに変換可能に設けたことを特徴とする請求項１に記載したパチンコ遊技機。
【請求項３】
開放ロック片を、進出位置と退避位置で夫々位置保持する保持手段を備えたことを特徴とする請求項２に記載したパチンコ遊技機。
【請求項４】
開放ロック片が、入賞口の側部を遮蔽する遮蔽部材によって構成されていることを特徴とする請求項２又は請求項３に記載したパチンコ遊技機。
【請求項５】
開放ロック片が、装飾部材によって構成されていることを特徴とする請求項２又は請求項３に記載したパチンコ遊技機。
【請求項６】
前面板の後方で、入賞口に側方回動可能に設けられた開閉片が、外側方への回動駆動により傾倒して入賞口を開放する開放位置と、該開放位置からの内側方への回動駆動により起立して入賞口を閉鎖する閉鎖位置とに変換制御される可変入賞装置を備えてなるパチンコ遊技機において、
前記可変入賞装置の前面板に、開放位置にある開閉片の上面に当接して該開閉片を開放位置にロックする進出位置と、該進出位置から退避する退避位置とに変換可能な開放ロック片を設けたことを特徴とするパチンコ遊技機。
【発明の詳細な説明】
【０００１】
【発明の属する技術分野】
本発明は、入賞口を開閉制御する開閉片を、必要に応じて開放位置にロックし得るようにしたパチンコ遊技機に関する。
【０００２】
【従来の技術】
表示画面に選出図柄を変動表示する図柄表示装置と、選出図柄の変動開始から図柄確定に至る一連の図柄生成行程を図柄表示装置の表示画面で実行する図柄制御手段を備え、図柄始動条件の成立を契機として図柄制御手段が実行する一連の図柄生成行程を選定し、かつ確定表示する所定の選出図柄の当り図柄態様を選定した場合に、遊技者に所定の利益を供与することとなる特別遊技作動を実行する制御内容を具備する遊技制御手段とを備えたパチンコ遊技機はよく知られている。これらには、所謂第一種パチンコ遊技機，第三種パチンコ遊技機がある。
【０００３】
ここで、一般的な第一種パチンコ遊技機は、大入賞口に起倒可能に配設された開閉片が、傾倒して大入賞口を開放する開放位置と、起立して大入賞口を閉鎖する閉鎖位置とに変換制御される可変入賞装置を備え、選出図柄が所定の当り図柄態様で確定表示された場合に、可変入賞装置の大入賞口の開放と、所定開放時間の満了又は該所定開放時間内での規定個数の入賞による大入賞口の閉鎖とを生じる開閉ラウンドを、大入賞口内に設けられた特定領域を遊技球が通過することを継続条件として、所定回数継続してなる大当りとしての特別遊技作動を実行するものである。
【０００４】
また、一般的な第三種パチンコ遊技機は、開口を開閉制御してその内部の特別作動領域を遊技球が通過可能な状態と不可能な状態とに変換する普通電動役物と、大入賞口に起倒可能に配設された開閉片が、傾倒して大入賞口を開放する開放位置と、起立して大入賞口を閉鎖する閉鎖位置とに変換制御される可変入賞装置と、遊技球の通過に伴って該大入賞口を開放する特定領域への流入制御を行う役物とを備え、選出図柄が所定の当り図柄態様で確定表示された場合に、普通電動役物を開放制御し、その内部の特別作動領域を遊技球が通過すると大当りとしての特別遊技作動を実行する。該特別遊技作動は、役物を駆動して特定領域への遊技球流入を可能とし、かつ該特定領域への遊技球の流入毎に、大入賞口の開放と閉鎖とを生じてなる開閉ラウンドを所定回数継続してなるものである。
【０００５】
従って、大当りとしての特別遊技作動が実行されると、可変入賞装置の大入賞口が開閉される開閉ラウンドが所定回数継続するので、大入賞口への遊技球の入賞に基づいて大量の賞球が払い出されることにより、遊技者に所定の利益が供与される。
【０００６】
上記のようなパチンコ遊技機にあって、可変入賞装置は、駆動源としてのソレノイドがＯＮ状態となると、プランジャが励磁作用を介して作動されることによって、該プランジャに連繋された開閉片が前方に傾倒して大入賞口が開放される一方、ソレノイドがＯＦＦ状態となると、プランジャを非作動位置に復帰させるバネの付勢作用を介して、開閉片が起立して大入賞口が閉鎖されるように構成されている。従って、ソレノイドのＯＦＦ状態においては、開閉片を指先等で無理に前方傾倒して大入賞口を開放させることは可能であるが、その前方傾倒状態を指先等で維持してなければ、前記バネの付勢作用により、開閉片が閉じてしまう。
【０００７】
そこで、ソレノイドのＯＦＦ状態において、開閉片を開放状態とするための構成が提案されている（特許文献１参照）。かかる構成は、遊技盤面に設けた小孔から線状部材を挿入して、ソレノイドの駆動力を開閉片に伝達する伝達部材に押圧力を作用させることにより、開閉片を前方傾倒させるようにしたものである。
【０００８】
【特許文献１】
特開２００２−３５３８６号公報
【０００９】
【発明が解決しようとする課題】
ところで、多くの遊技店では、閉店間近に大当りとしての特別遊技作動が発生し、その特別遊技作動が次回も大当りとなる確率が高い確変図柄によるものである場合には、閉店時間後に一回分の大当りに相当する量の遊技球を遊技者に供与するサービスを行っている。この場合、ソレノイドのＯＦＦ状態において、店員が指先等で開閉片を前方傾倒させて大入賞口を開放し、該大入賞口内に遊技球を直接手で投入して入賞させ、賞球を払い出しているのであるが、この作業を行うに際して、上述したように、ソレノイドのＯＦＦ状態にあっては、前方傾倒させた開閉片にはバネによる閉鎖方向の付勢力が常時作用していることにより、片方の手で開閉片の傾倒状態を維持してなければならないため、両手を使うことができず、その作業能率が悪いという問題点があった。
【００１０】
また、特別遊技作動中に大入賞口内の特定領域スイッチの故障や誤作動等が発生し、遊技球の特定領域の通過を検出できない場合は、特定領域を遊技球が通過したのにも拘わらず、次の開閉ラウンドへの移行が行われず特別遊技作動が途中で終了してしまう。また、特別遊技作動中に、球発射装置に故障や不具合が生じた場合や、発射する遊技球が１個も無くなってしまった場合等にあっても、遊技球が発射できないため、特定領域を遊技球が通過せず、特別遊技作動が途中で終了してしまう。このような場合は、遊技店側が本来遊技者に供与される利益を補償していることが多い。補償する際は、開閉片を指等で直接前方傾倒させて大入賞口を開放し、該大入賞口内に遊技球を直接手で投入して入賞させ、賞球を払い出しているのであるが、この作業を行うに際して、上述したように、ソレノイドのＯＦＦ状態にあっては、前方傾倒させた開閉片にはバネによる閉鎖方向の付勢力が常時作用していることにより、片方の手で開閉片の傾倒状態を維持してなければならなかった。
【００１１】
ここで、ソレノイドのＯＦＦ状態において、開閉片を開放状態とし得る先行技術の構成にあっても、開閉片の前方傾倒状態を維持するためには、遊技盤面の小孔から挿入した線状部材を手で持って、伝達部材を押圧し続けなければならないため、両手を使用しての遊技球の投入作業や、大入賞口内の特定領域スイッチの故障や誤作動等の復旧作業を行うことができなかった。
【００１２】
さらに、ソレノイドをＯＮ状態とするスイッチを別途設けたとしても、遊技機自体の電源を切ればソレノイドのＯＮ状態が無効となり、バネの付勢作用によって開閉片が閉じてしまうため、前記復旧作業時に電源を切って作業することができないという問題点もあった。
【００１３】
本発明は、ソレノイドのＯＦＦ状態において、開閉片を開放位置にロックし得るようにして、両手による遊技球の投入作業や、大入賞口内の特定領域スイッチの故障や誤作動等の復旧作業を可能としたパチンコ遊技機を提供することを目的とするものである。
【００１４】
【課題を解決するための手段】
本発明は、入賞口に前後方向に沿って起倒可能に設けられた開閉片が、前方回動駆動により傾倒して入賞口を開放する開放位置と、該開放位置からの後方回動駆動により起立して入賞口を閉鎖する閉鎖位置とに変換制御される可変入賞装置を備えてなるパチンコ遊技機において、前記入賞口の側部位置に開放ロック片を側方移動可能に配設し、該開放ロック片を、入賞口側への移動操作により開放位置にある開閉片の上面に当接させて該開閉片を開放位置にロックする進出位置と、該進出位置からの外側方への移動操作により開閉片上から退避する退避位置とに変換可能に設けたことを特徴とするパチンコ遊技機である（請求項１）。
【００１５】
ここで、開放ロック片を側方移動可能とする態様としては、直線的な進退移動と、支軸を中心とする回動移動とが提案される。また、上記構成は、表示画面に選出図柄を変動表示する図柄表示装置と、選出図柄の変動開始から図柄確定に至る一連の図柄生成行程を図柄表示装置の表示画面で実行する図柄制御手段を備え、図柄始動条件の成立を契機として図柄制御手段が実行する一連の図柄生成行程を選定し、かつ確定表示する所定の選出図柄の当り図柄態様を選定した場合に、可変入賞装置の開閉片を所定開閉態様で開閉制御して遊技者に所定の利益を供与することとなる特別遊技作動を実行する制御内容を具備する遊技制御手段とを備えたパチンコ遊技機に好適に適用される。
【００１６】
かかる構成にあって、入賞口の側部位置に配設した開放ロック片を、入賞口側への移動操作により進出位置に変換することによって、開閉片を開放位置にロックすることができるので、ソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がない。これにより、両手を使って迅速に作業を行うことが可能となり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【００１７】
前記開放ロック片を側方移動可能とする一態様として、該開放ロック片を側方回動可能に配設し、該開放ロック片を、入賞口側への回動操作により開放位置にある開閉片の上面に当接させて該開閉片を開放位置にロックする進出位置と、該進出位置からの外側方への回動操作により開閉片上から退避する退避位置とに変換可能に設ける構成（請求項２）が提案される。
【００１８】
かかる構成にあっては、入賞口の側部位置に配設された開放ロック片を、入賞口側への回動操作により進出位置に変換することによって、開閉片を開放位置にロックすることができるので、請求項１の効果と同様にソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がない。これにより、両手を使って迅速に作業を行うことが可能となり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【００１９】
また、開放ロック片を、進出位置と退避位置で夫々位置保持する保持手段を備えた構成（請求項３）が提案される。かかる構成にあっては、進出位置における開放ロック片の位置保持により、開閉片を開放位置に確実にロックすることができる一方、退避位置における開放ロック片の位置保持により、遊技球の衝突等に起因する開放ロック片の不要の移動を防止することができる。
【００２０】
また、開放ロック片を、入賞口の側部を遮蔽する遮蔽部材によって構成するようにしたものが提案される（請求項４）。ここで、遮蔽部材は、入賞口の側部を遮蔽して、遊技球を入賞口へ導いたり、入賞を規制したりするために設けられているものであり、この遮蔽部材によって開放ロック片を構成すれば、配設スペースの制限を受けたり、遊技盤面の外観を変更したりすることなく、開放ロック片を違和感なく配設することができる。
【００２１】
また、開放ロック片を、装飾部材によって構成するようにしたものが提案される（請求項５）。ここで、装飾部材は、遊技盤面を装飾するために設けられているものであり、このように装飾部材によって開放ロック片を構成することによっても、配設スペースの制限を受けたり、遊技盤面の外観を変更したりすることなく、開放ロック片を違和感なく配設することができる。
【００２２】
また、本発明は、前面板の後方で、入賞口に側方回動可能に設けられた開閉片が、外側方への回動駆動により傾倒して入賞口を開放する開放位置と、該開放位置からの内側方への回動駆動により起立して入賞口を閉鎖する閉鎖位置とに変換制御される可変入賞装置を備えてなるパチンコ遊技機において、前記可変入賞装置の前面板に、開放位置にある開閉片の上面に当接して該開閉片を開放位置にロックする進出位置と、該進出位置から退避する退避位置とに変換可能な開放ロック片を設けたことを特徴とするパチンコ遊技機である（請求項６）。
【００２３】
かかる構成にあっては、可変入賞装置の前面板に設けた開放ロック片を、開放位置にある開閉片の上面に当接する進出位置に変換することによって、開閉片を開放位置にロックすることができるので、請求項１の効果と同様にソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がない。これにより、両手を使って迅速に作業を行うことが可能となり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【００２４】
【発明の実施の形態】
以下に、本発明を第一種パチンコ遊技機に適用した第一実施例を、図１〜図７に基づいて説明する。
【００２５】
パチンコ遊技機の遊技盤１には、図１に示すように、その遊技盤面２上に略円形の誘導レール３で囲繞された遊技領域４が設けられており、該遊技領域４の略中央にセンターケース５が配設されている。このセンターケース５には、液晶表示器，ＣＲＴ表示器等からなる図柄表示装置６が組み付けられており、該図柄表示装置６の表示画面７には、三つの特別図柄Ａ，Ｂ，Ｃが変動表示される。ここで、第一種パチンコ遊技機にあっては、この特別図柄Ａ，Ｂ，Ｃを選出図柄としている。また、表示画面７の一部領域には、普通図柄表示部９が設けられており、該普通図柄表示部９には右図柄と左図柄からなる二つの普通図柄Ｅ1 ，Ｅ2 が変動表示される。この普通図柄Ｅ1 ，Ｅ2 は、「７」と「−」の二種類の図柄で構成されており、右図柄及び左図柄ともに「７」が停止する当り図柄態様が確定表示された場合には、後述する普通電動役物からなる可変入賞装置１３の開閉片１５，１５が開閉駆動される。
【００２６】
表示画面７の上部には、４個のパイロットランプからなる特別図柄始動記憶数表示装置８が配設されている。この特別図柄始動記憶数表示装置８は、後述する主制御基板６０（図３参照）の記憶装置ＲＡＭの一部領域に記憶された特別図柄始動記憶数をパイロットランプの点灯数によって表示する。また、表示画面７の右側部には、４個の発光ダイオードからなる普通図柄始動記憶数表示装置１１が配設されており、後述する普通図柄始動スイッチＳ2（図３参照）からの遊技球検出信号が、所定数を上限として主制御基板６０（図３参照）の記憶装置ＲＡＭの一部領域に記憶された場合に、その記憶数を発光ダイオードの点灯数によって表示する。
【００２７】
一方、センターケース５の左右両側には、普通図柄始動ゲート（普通図柄始動領域）１２，１２が配設されており、遊技球の通過により、この普通図柄作動ゲート１２，１２が具備する普通図柄始動スイッチＳ2 から遊技球検出信号が発生すると、前記普通図柄表示部９の普通図柄Ｅ1 ，Ｅ2 が変動し、所定時間経過後に停止して種々の組み合わせの図柄態様が表示されることとなる。
【００２８】
また、センターケース５の直下位置には、内部を特別図柄始動領域１４とするとともに、開閉片１５，１５により入賞口１６を兼ねた入り口の開口度を変化させるようにした普通電動役物からなる可変入賞装置１３が配設されている。そして前記普通図柄表示部９の表示結果が所定の当り図柄態様の場合には、普通電動役物ソレノイド２６（図３参照）等の駆動源によって開閉片１５，１５が所定時間（約 0.2秒間）拡開されて、特別図柄始動領域１４に遊技球が入り易い状態となる。この特別図柄始動領域１４は、特別図柄始動スイッチＳ1（図３参照）を備えており、該特別図柄始動スイッチＳ1 による遊技球の入賞検知に伴って、前記図柄表示装置６の表示画面７に特別図柄Ａ，Ｂ，Ｃを変動表示する図柄生成行程が実行されることとなる。
【００２９】
さらに、可変入賞装置１３の下方には、内部に特定領域と一般領域とを有する大入賞口２０を備え、かつ、横長矩形状の開閉片２１を大入賞口ソレノイド２５（図２参照）からなる駆動源によって開閉制御することにより、大入賞口２０を開放状態と閉鎖状態とに変換する可変入賞装置２２が配設されている。ここで、該可変入賞装置２２の大入賞口２０が、本発明の要部にかかる開閉片２１が前後方向に沿って起倒可能に設けられた可変入賞装置の入賞口となっている。開閉片２１は、図２（イ），（ロ）に示すように、大入賞口ソレノイド２５のプランジャ２７にリンク部材２８を介して連繋されており、該大入賞口ソレノイド２５がＯＮ状態となると、プランジャ２７が励磁作用を介して後退方向に作動されることによって、開閉片２１が、図２（イ）に示す起立状態から図２（ロ）に示すように支軸２４を支点として前方回動駆動され、傾倒して大入賞口２０を開放する開放位置に変換される一方、大入賞口ソレノイド２５がＯＦＦ状態となると、プランジャ２７を非作動位置に復帰させるバネ２９の付勢作用を介して、開閉片２１が開放位置から後方回動駆動され、図２（イ）に示すように、起立して大入賞口２０を閉鎖する閉鎖位置に変換されるようになっている。
【００３０】
大入賞口２０の左右の側部位置には、図１に示すように、該大入賞口２０の側部を遮蔽する遮蔽部材３０ａ，３０ｂが夫々配設されており、さらに各遮蔽部材３０ａ，３０ｂの外側位置に「翼」を模した装飾部材３１ａ，３１ｂが夫々配設されている。そして、前記遮蔽部材３０ａ，３０ｂの内、第一実施例では一方の遮蔽部材３０ａ（図中右側の遮蔽部材）が開閉片２１を開放位置にロックし得る開放ロック片３２となっている。また、前記装飾部材３１ａ，３１ｂの内、第二実施例では一方の装飾部材３１ａ（図中右側の装飾部材）が開閉片２１を開放位置にロックし得る開放ロック片３２となっている。この開放ロック片３２は本発明の要部にかかるものであり、詳しくは後述する。
【００３１】
そして、前記図柄表示装置６の表示画面７に変動表示される特別図柄Ａ，Ｂ，Ｃが、所定の組み合わせの当り図柄態様で確定表示された場合に大当たりとしての特別遊技作動が実行される。この特別遊技作動は、開閉片２１が前方に傾倒して開き、その開放状態で開閉片２１の上面の案内作用を介して、大入賞口２０内へ遊技球を案内するとともに、所定開放時間（例えば30秒間）の満了、またはその所定開放時間中における所定個数（例えば10個）の遊技球の入賞により開閉片２１が起立して大入賞口２０が閉鎖される開閉ラウンドを、特定領域の球通過を条件として所定制限回数（例えば15回）継続するものであって、この特別遊技作動の実行によって多量の遊技球が入賞し、遊技者に所定の利益が供与される。可変入賞装置２２の内部には、特定領域に入った遊技球を検知する特定領域スイッチＳ3（図３参照）と、一回の開閉ラウンド毎の入賞個数を計数するカウントスイッチＳ4（図３参照）とが設けられている。また、特定領域スイッチＳ3 で検知される遊技球は、一回の開閉ラウンド中に計数される入賞個数に合算される。
【００３２】
その他、遊技領域４には、複数の一般入賞口２３が配設されており、その内部に具備する一般入賞スイッチＳ5（図３参照）による遊技球の入賞検知に伴って所定数の賞球が払い出される。
【００３３】
図３は、上述のパチンコ遊技機の遊技制御手段を構成する制御回路を示すものである。
主制御基板６０には、パチンコ遊技機の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものであって、この主制御用中央制御装置ＣＰＵには、演算処理に用いる動作プログラムを格納する記憶装置ＲＯＭと、必要なデータを随時読み書き可能な記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。前記記憶装置ＲＯＭには、制御プログラムや、大当り特別乱数テーブルｋ、大当り図柄乱数テーブルｌ、ハズレ図柄乱数テーブルｍ 、リーチ乱数テーブルｎ、リーチ図柄乱数テーブルｐ、リーチ態様乱数テーブルｑ、普通当り乱数テーブルｕ、普通当り図柄乱数テーブルｖ等の固定データが格納されている。そして所定の図柄始動条件が成立すると主制御用中央制御装置ＣＰＵによって各乱数テーブルの乱数値の抽選が行われ、大当り特別乱数値Ｋ、大当り図柄乱数値Ｌ、ハズレ図柄乱数値Ｍａ，Ｍｂ，Ｍｃ、リーチ乱数値Ｎ、リーチ図柄乱数値Ｐ、リーチ態様乱数値Ｑ、普通当り乱数値Ｕ、普通当り図柄乱数値Ｖ等が選出される。また、記憶装置ＲＡＭには、特別図柄始動スイッチＳ1 ，普通図柄始動スイッチＳ2 のＯＮ作動による記憶数等が一時的に記憶される記憶エリア、ソフトタイマを構成するレジスタ領域及びワークエリア等が設けられている。
【００３４】
さらに、上記主制御基板６０の基板回路には、所定のクロックパルスを出力するクロック装置（図示省略）が設けられ、主制御用中央制御装置ＣＰＵに接続されている。そして主制御用中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーＴＭも接続されている。
【００３５】
また、上記主制御基板６０の基板回路には、主制御用中央制御装置ＣＰＵが周辺機器とデータ通信を行う入力ポート（図示省略）及び出力ポート（図示省略）が設けられており、該出力ポートを介して主制御基板６０からの制御指令信号が、図柄表示制御基板６２，音源制御基板６３，光源制御基板６４，払出制御基板６５の各入力ポートに向けて発信されるようになっている。また、主制御基板６０の入力ポートには、特別図柄始動スイッチＳ1 が接続されるとともに、盤面中継基板６１を介して、普通図柄始動スイッチＳ2 ，特定領域スイッチＳ3 ，カウントスイッチＳ4 ，一般入賞スイッチＳ5 が接続されている。そして、主制御基板６０は所定時間毎（例えば２ｍｓ毎）に上記各スイッチＳ1 〜Ｓ5 の遊技球検出状態を調べ、信号入力があるとその信号が波形整形回路により波形整形されて主制御用中央制御装置ＣＰＵに入力され、その情報を記憶装置ＲＡＭに記憶する。また、主制御基板６０の出力ポートには、盤面中継基板６１を介して大入賞口ソレノイド２５，普通電動役物ソレノイド２６が接続されており、主制御用中央制御装置ＣＰＵが所定の条件を選出した場合に作動される。
【００３６】
また、主制御用中央制御装置ＣＰＵ及び上記各制御基板６２，６３，６４，６５に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。尚、前記演算ユニットの連成数によって、各中央制御装置ＣＰＵの演算処理能力が決まる。そして、主制御用中央制御装置ＣＰＵは、所定の形式で生成した制御指令信号を各制御基板６２，６３，６４，６５に夫々送信し、各制御基板６２，６３，６４，６５の中央制御装置ＣＰＵがこの制御指令信号に従って所定の制御を処理実行することとなる。
【００３７】
上記図柄表示制御基板６２には、図柄表示装置６の表示画面７に表示される図柄表示態様を制御するための基板回路が設けられている。この基板回路は、図柄表示態様を制御処理する図柄制御用中央制御装置ＣＰＵに、演出プログラムが格納されている記憶装置ＲＯＭと、必要なデータを読み書きできる記憶装置ＲＡＭと、入力ポート及び出力ポートとを備えてなる。この記憶装置ＲＯＭには、上述した特別図柄Ａ，Ｂ，Ｃ及び普通図柄Ｅ1 ，Ｅ2 の図柄形態が記憶され、さらに特別図柄Ａ，Ｂ，Ｃ及び普通図柄Ｅ1 ，Ｅ2 の変動パターン，特別図柄Ａ，Ｂ，Ｃのリーチ態様パターン等の固定データやその動作プログラムが記憶されている。
【００３８】
また、図柄表示制御基板６２は、主制御基板６０からの制御指令信号を入力ポートを介して受信すると、図柄制御用中央制御装置ＣＰＵにおいて演算処理し、所定の図柄変動を演出する特別図柄Ａ，Ｂ，Ｃと普通図柄Ｅ1 ，Ｅ2 の変動態様データを、出力ポートを介して表示用ドライバに夫々送信する。該表示用ドライバは前記変動態様データに従って、図柄表示装置６の表示画面７に所定の変動態様で特別図柄Ａ，Ｂ，Ｃと普通図柄Ｅ1 ，Ｅ2 とを夫々変動表示させる。そして、この表示用ドライバ及び図柄表示制御基板６２によって、変動開始から図柄確定に至る一連の図柄生成行程を、図柄表示装置６の表示画面７に表示する図柄制御手段が構成されている。
【００３９】
一方、上記音源制御基板６３には、スピーカから発生する効果音等を制御するための基板回路が設けられている。この基板回路は、音響を制御する音源制御用中央制御装置ＣＰＵに、動作プログラムや音響発生パターン等の固定データが記憶されている記憶装置ＲＯＭと、必要なデータを読み書きする記憶装置ＲＡＭと、入力ポート及び出力ポートとを備えてなる。この音源制御基板６３は、上記の主制御基板６０より入力ポートを介して受信した制御指令信号を音源制御用中央制御装置ＣＰＵで演算処理し、所定の音データを出力ポートを介してサウンドジェネレータに送信して、スピーカから所定の効果音を出力させる。
【００４０】
また、上記光源制御基板６４には、パチンコ遊技機に備えられた発光ダイオードや装飾ランプ等の電飾装置を制御するための基板回路が設けられている。この基板回路は、電飾装置の点灯，点滅等を制御する光源制御用中央制御装置ＣＰＵに、動作プログラムや、発光ダイオード，装飾ランプ等を電飾するための電飾パターン等の固定データが記憶されている記憶装置ＲＯＭと、必要なデータを読み書きする記憶装置ＲＡＭと、入力ポート及び出力ポートとを備えてなる。この光源制御基板６４は、光源制御用中央制御装置ＣＰＵで、上記の主制御基板６０から入力ポートを介して受信した制御指令信号を演算処理し、所定の光演出データを出力ポートを介して光源作動基板に送信し、電飾装置や特別図柄始動記憶数表示装置８及び普通図柄始動記憶数表示装置１１の発光ダイオードや装飾ランプ等を所定の演出態様で点灯，点滅させる。
【００４１】
さらに、上記払出制御基板６５には、遊技球の貸球や賞球等を制御するための基板回路が設けられている。この基板回路は、貸球ユニットや賞球ユニット等が具備する各種ソレノイドを作動して、所定の貸球や賞球の供給を制御する払出制御用中央制御装置ＣＰＵに、動作プログラム，貸球や賞球の球数パターン等の固定データが記憶されている記憶装置ＲＯＭと、球数カウントデータ等の必要なデータを読み書きする記憶装置ＲＡＭと、入力ポート及び出力ポートとを備えてなる。この払出制御基板６５は、入力ポートを介して主制御基板６０から制御指令信号を受信し、該制御指令信号に従い、払出制御用中央制御装置ＣＰＵで演算処理し、所定のデータを出力ポートを介して払出中継基板に送信し、このデータにより貸球ユニットや賞球ユニット等が具備する図示しない各種ソレノイドを作動させて、所定の貸球や賞球の払い出しを実行する。また、払出制御基板６５は、プリペイド金額を記憶したプリペイドカードの読み込み・書き込みを行うプリペイドカードユニットと、プリペイドカードのデータ処理を中継するＣＲ接続基板を介して接続されており、プリペイド金額の残額データ等を送受する。
【００４２】
次に、図３に示した制御回路による制御態様をパチンコ遊技機の作動に従って説明する。
遊技球が図示しない発射装置より遊技盤１の遊技領域４に発射され、この遊技球が特別図柄始動領域１４を通過し、特別図柄始動スイッチＳ1 がＯＮ作動すると、その信号を主制御基板６０が認識する。この信号により、主制御基板６０の主制御用中央制御装置ＣＰＵは、記憶装置ＲＯＭに記憶されている各乱数テーブルから抽選によって、大当り特別乱数値Ｋ、大当り図柄乱数値Ｌ、ハズレ図柄乱数値Ｍa，Ｍb，Ｍc、リーチ乱数値Ｎ、リーチ図柄乱数値Ｐ、リーチ態様乱数値Ｑ等を夫々選出し、これらの各乱数値を一旦、記憶装置ＲＡＭに格納する。尚、遊技球が特別図柄始動領域１４を連続的に通過した場合には、特別図柄始動スイッチＳ1 のＯＮ作動に基づいて抽選される上記各乱数値が、発生順に主制御基板６０の記憶装置ＲＡＭに記憶されるとともに、特別図柄始動スイッチＳ1 による遊技球検出数が特別図柄始動記憶数として主制御基板６０の記憶装置ＲＡＭに記憶され、上述したように特別図柄始動記憶数表示装置８のパイロットランプがその始動記憶数に応じて順次点灯されて、特別図柄始動記憶数を最高４個まで表示する。このパイロットランプは表示画面７の特別図柄Ａ，Ｂ，Ｃが変動開始する度に消灯されて、始動記憶数が減少する。尚、始動記憶数が満杯（４個）となっている場合には、特別図柄始動領域１４を遊技球が通過しても無効となる。
【００４３】
ここで、主制御基板６０の記憶装置ＲＯＭには、例えば０〜５９９の６００コマからなる大当り特別乱数テーブルｋが格納されており、表示画面７に当り図柄態様で確定表示される特別図柄Ａ，Ｂ，Ｃの表示内容によって、当該当り図柄態様に基づいて実行される特別遊技作動後に、再度当り図柄態様となる確率を高めた高確率状態と、当り図柄態様となる確率が変化しない通常確率状態の何れかが発生する。
【００４４】
高確率状態では、大当り特別乱数テーブルｋから選出される大当り特別乱数値Ｋが、例えばＫ＝７，９７，１５７，１８７，２４７，２７７，３３７，３６７，４５７，５４７の場合に当りとなる。即ち、大当り確率は１０／６００＝１／６０である。一方、通常確率状態では、大当り特別乱数値Ｋが、例えばＫ＝７，４５７の場合に当りとなる。即ち、大当り確率は２／６００＝１／３００である。そしてそれ以外の大当り特別乱数値Ｋはハズレとなる。また、記憶装置ＲＯＭには、上述したように大当り図柄乱数テーブルｌが格納されている。ここで大当り図柄乱数テーブルｌは、「０」〜「９」の大当り図柄の何れかを選出し、上記大当り特別乱数値Ｋが当りの場合に特別図柄Ａ，Ｂ，Ｃの当り図柄態様を決定するものである。即ち、例えば大当り図柄乱数値Ｌが「０」の場合には、特別図柄Ａ，Ｂ，Ｃが「０，０，０」となる。そして、この大当り図柄乱数テーブルｌから選出される大当り図柄乱数値Ｌに従って、「１」、「３」、「５」、「７」、「９」の何れかの確変図柄により当り図柄態様が確定表示された場合には、当該特別遊技作動以降の図柄生成行程を、当り図柄態様が確定表示されるまで、上述した高確率状態となるようにしている。そして、このような高確率状態とすることによって、特別遊技作動後に実行される特定有利遊技作動としての、当り図柄態様となる確率を高める確率変動作動を付与するようにしている。また、大当り図柄乱数値Ｌに従って、「０」、「２」、「４」、「６」、「８」の何れかの通常図柄により当り図柄態様が確定表示された場合には、当該特別遊技作動以降の図柄生成行程を通常確率状態となるようにしている。
【００４５】
一方、特別図柄始動スイッチＳ1 のＯＮ信号に基づき、主制御基板６０は、主制御用中央制御装置ＣＰＵで演算処理して賞球指令信号を払出制御基板６５に送信するとともに、賞球作動に連動する賞球音の発生指令信号を音源制御基板６３に、賞球ランプ等の発生指令信号を光源制御基板６４に夫々送信する。主制御基板６０から賞球指令信号を受信した払出制御基板６５は、記憶装置ＲＯＭや記憶装置ＲＡＭの記憶データを用いて払出制御用中央制御装置ＣＰＵにて演算処理を行い、その結果に従って賞球ユニットの図示しないソレノイドを作動させて所定数量の賞球を払い出す。これと同期して、賞球音の発生指令信号を受けた音源制御基板６３は、記憶装置ＲＯＭや記憶装置ＲＡＭの記憶データを用いて音源制御用中央制御装置ＣＰＵにて演算処理を行い、その結果に従ってスピーカより所定の賞球払出音を上記賞球の払出時に合わせて出力する。同時に光源制御基板６４でも、受信した賞球ランプの発生指令信号に従って光源制御用中央制御装置ＣＰＵが記憶装置ＲＯＭや記憶装置ＲＡＭの記憶データを用いて演算処理を行い、その結果に従って所定の発光ダイオードや装飾ランプ等を点灯、点滅させる。
【００４６】
そして、特別図柄始動スイッチＳ1 のＯＮ作動、若しくは主制御基板６０の記憶装置ＲＡＭに記憶されている特別図柄始動記憶数の消化の何れかによる図柄始動条件の成立を契機として特別図柄Ａ，Ｂ，Ｃの図柄変動が開始されると、主制御用中央制御装置ＣＰＵは、大当り特別乱数値Ｋを判定し、大当り図柄乱数値Ｌとハズレ図柄乱数値Ｍa，Ｍb，Ｍc の何れか一方を有効とするとともに、リーチ乱数値Ｎに従ってリーチとするか否かを判定する。そして、これらの結果に基づき、図柄表示装置６で実行される図柄表示態様を制御するための図柄制御指令信号を図柄表示制御基板６２に送信する。
【００４７】
上記図柄制御指令信号を受けた図柄表示制御基板６２の図柄制御用中央制御装置ＣＰＵは、該図柄制御指令信号に従って、記憶装置ＲＯＭに記憶されている所定の動作プログラムを用いて、表示画面７で演出する図柄表示態様を決定する。そして、該図柄表示態様に従って特別図柄Ａ，Ｂ，Ｃを順次停止し、特別図柄Ａ，Ｂ，Ｃを確定表示する図柄生成行程を実行する。
【００４８】
また、主制御基板６０の主制御用中央制御装置ＣＰＵは、音響作動と発光作動を上記図柄表示態様に連動させるため、音響制御指令信号を音源制御基板６３に送信するとともに、電飾制御指令信号を光源制御基板６４に送信する。音響制御指令を受けた音源制御基板６３は、記憶装置ＲＯＭに記憶されている動作プログラム等を用いて音源制御用中央制御装置ＣＰＵで演算処理を行い、得られた所定の音データをサウンドジェネレータを介してスピーカより出力する。また前記光源制御基板６４では、電飾制御指令信号に従って、記憶装置ＲＯＭに記憶されている動作プログラム等を用いて光源制御用中央制御装置ＣＰＵで演算処理を行い、得られた所定の光演出データに基づいて、光源作動基板を介して、発光ダイオードもしくは装飾ランプを点灯、点滅させる。
【００４９】
上述の大当り特別乱数値Ｋが所定の当り乱数値である場合、主制御基板６０は、大当り図柄乱数値Ｌを有効とするとともに、リーチ図柄乱数値Ｐ，リーチ態様乱数値Ｑを有効とし、図柄表示制御基板６２に所定の図柄制御指令信号を送信する。そして、図柄表示制御基板６２は、リーチ図柄乱数値Ｐに従い特別図柄をＡ＝Ｃで停止して、リーチ態様乱数値Ｑに従い所定のリーチ変動態様によるリーチ作動を実行した後、大当り図柄乱数値Ｌに従って、所定の当り図柄態様の特別図柄Ａ，Ｂ，Ｃを確定表示する。この時、同時に光源制御基板６４及び音源制御基板６３が所定の電飾演出と効果音を発生させる。尚、リーチ態様乱数値Ｑによって選定されるリーチ変動態様としては、ロングリーチ、低速スクロール、逆走行、低速走行からの加速的停止、図柄の反転等、種々の変動態様がある。
【００５０】
このように所定の当り図柄態様が確定表示されると、主制御基板６０は、盤面中継基板６１を介して大入賞口ソレノイド２５を駆動して、開閉片２１を前方傾倒させることにより大入賞口２０を開放する大当りとしての一連の特別遊技作動を実行する。
【００５１】
即ち、サウンドジェネレータがファンファーレを発するとともに、大入賞口ソレノイド２５が駆動し、開閉片２１が所定作動態様で開閉駆動される開閉ラウンドが開始される。この開閉ラウンドは、所定制限時間（例えば30秒間）が経過するか、この所定制限時間内で、カウントスイッチＳ4 と特定領域スイッチＳ3 とにより所定個数（例えば10個）の遊技球の入賞検知がなされるまで継続される。また上述したように、大入賞口２０内の特定領域に遊技球が流入し、特定領域スイッチＳ3 がＯＮ作動した時は、次の開閉ラウンドへの移行条件が充足され、一旦開閉片２１が閉鎖駆動して一ラウンドが終了した後、再び大入賞口２０が開放されて次の開閉ラウンドへ移行する。このような開閉ラウンドが所定制限回数（例えば15回）繰り返されると特別遊技作動が終了する。
【００５２】
一方、大当り特別乱数値Ｋが所定の当り乱数値でない場合には、主制御基板６０は、上述のハズレ図柄乱数値Ｍa，Ｍb，Ｍc に基づく図柄制御指令信号を図柄表示制御基板６２に送信し、該図柄表示制御基板６２は、この図柄制御指令信号に従って、特別図柄Ａ，Ｂ，Ｃをハズレ図柄態様で表示する。ここで、ハズレ図柄乱数値Ｍa，Ｍb，Ｍc が当り図柄態様を選出していた場合には、再びハズレ図柄乱数テーブルｍでハズレ図柄乱数値Ｍa，Ｍb，Ｍc を選出して、ハズレ図柄態様を表示する。また、リーチ乱数値Ｎによりリーチ作動を実行する場合にあっては、リーチ図柄乱数値Ｐに従って、特別図柄をＡ＝Ｃで一旦表示し、リーチ態様乱数値Ｑに従って、所定のリーチ変動態様によるリーチ作動を発生させるようにした後、ハズレ図柄態様を確定表示する。
【００５３】
次に、本発明の要部について説明する。
本発明にかかるパチンコ遊技機は、前記大入賞口２０の側部位置に開放ロック片３２が側方移動可能に配設され、該開放ロック片３２が、大入賞口２０側への移動操作により開放位置にある開閉片２１の上面に当接して該開閉片２１を開放位置にロックする進出位置と、該進出位置からの外側方への移動操作により開閉片２１上から退避する退避位置とに変換可能に設けられている。この第一実施例では、図４（ハ）等に示すように、開放ロック片３２が側方回動可能に配設されており、該開放ロック片３２が、大入賞口２０側への回動操作により開放位置にある開閉片２１の上面に当接して該開閉片２１を開放位置にロックする進出位置と、該進出位置からの外側方への回動操作により開閉片２１上から退避する退避位置とに変換できるようになっている。
【００５４】
ここで、大入賞口２０の左右両側には、上述した特別遊技作動の実行により、図４（ロ）に示すように、開閉片２１の前方回動駆動により傾倒して大入賞口２０を開放する状態にあって、該大入賞口２０の側部を遮蔽して、遊技球を大入賞口２０へ導いたり、入賞を規制したりする上下に若干長い五角形状を呈するブロック体からなる遮蔽部材３０ａ，３０ｂが夫々配設されており、この第一実施例にあっては、図中右側の遮蔽部材３０ａによって開放ロック片３２が構成されている。該開放ロック片３２は、図５に示すように、遮蔽部材３０ａの下部寄り位置に配設された支軸３３によって大入賞口２０の側部位置に側方回動可能に軸支されている。また、遮蔽部材３０ａの裏面には、その上部寄り位置に短尺状の係止突起３４が後方突成されており、該係止突起３４を係合し得る係合孔３５が、大入賞口２０の側部表面で前記支軸３３の上方位置に穿設されている。そして、図６（イ）に示すように、開放ロック片３２を大入賞口２０側へ回動操作して進出位置に変換した状態において、係止突起３４が大入賞口２０の口縁３６と係合して該開放ロック片３２を進出位置に位置保持する一方、図６（ロ）に示すように、開放ロック片３２を退避位置に変換した状態において、係止突起３４が前記係合孔３５と係合して該開放ロック片３２を退避位置に位置保持し得るようになっている。これにより、開放ロック片３２を進出位置と退避位置で夫々位置保持する保持手段が構成されている。
【００５５】
かかる構成にあって、大入賞口ソレノイド２５（図２参照）がＯＦＦ状態にあり、図４（イ）に示すように、開閉片２１が起立して大入賞口を閉鎖する閉鎖位置にある状態において、開放ロック片３２により開閉片２１を開放位置にロックする場合には、図４（ロ）に示すように、開閉片２１を指等でバネ２９（図２参照）の付勢力に抗して前方に傾倒させて開放位置とした状態で、図４（ハ）に示すように、開放ロック片３２を大入賞口２０側へ回動させて、開閉片２１の上面に当接させると、図６（イ）に示すように、係止突起３４が大入賞口２０の口縁３６と係合して該開放ロック片３２が進出位置に位置保持されることにより、開閉片２１を開放位置にロックすることができる。
【００５６】
そして、図７（イ），（ロ）に示すように、開閉片２１が開放位置にロックされた状態にあっては、従来のように片方の手で開閉片２１の傾倒状態を維持する必要がないため、大入賞口２０内に遊技球を直接手で投入する作業を行う場合や、大入賞口２０内の特定領域スイッチＳ3 の故障や誤作動等の復旧作業を行う場合に、両手を使って迅速に作業を行うことができ、その作業能率が向上する。また、大入賞口ソレノイド２５への通電状態に関係なく開閉片２１を開放位置にロックすることができるため、遊技機自体の電源を切っても特定領域スイッチＳ3 の故障や誤作動等の復旧作業を行うことができる。
【００５７】
また、上記のように開閉片２１が開放位置にロックされた状態から、そのロックを解除する場合には、開放ロック片３２を外側方に向けて若干強制的に回動させることにより、係止突起３４が大入賞口２０の口縁３６から離脱する。そして、該開放ロック片３２を外側方に回動させて退避位置に変換することにより、開閉片２１の開放位置におけるロックを解除することができる。また、開放ロック片３２を退避位置まで回動させると、係止突起３４が係合孔３５と係合して、該開放ロック片３２を退避位置に位置保持することができる。そして、このように、開放ロック片３２を退避位置に位置保持することにより、遊技中にあって遊技球の衝突等に起因する不要の回動を防止することができる。
【００５８】
図８，図９は第二実施例を示し、この実施例は、開放ロック片３２を、大入賞口２０の側部位置に配設された装飾部材３１ａによって構成したものである。大入賞口２０の側部位置には、図８（イ）に示すように、「翼」を模した装飾部材３１ａ，３１ｂが左右一対で配設されており、図中右側の装飾部材３１ａが開閉片２１を開放位置にロックする開放ロック片３２となっている。尚、装飾部材３１ａ，３１ｂは、本来、大入賞口２０の側部表面に固着される台座としての装飾用ブロック体３７ｂと、該装飾用ブロック体３７ｂの前面に配設される「翼」を模した形状の平板部３７ａとが一体成形されるが、この第二実施例における装飾部材３１ａは、平板部３７ａと装飾用ブロック体３７ｂとが分離形成されている。また、この第二実施例では、前記第一実施例における遮蔽部材３０ａ，３０ｂが除去されている。
【００５９】
前記開放ロック片３２は、「翼」を模した装飾部材３１ａの平板部３７ａからなり、該装飾部材３１ａから分離された装飾用ブロック体３７ｂの前面位置で支軸３８によって側方回動可能に軸支されている。該開放ロック片３２の裏面には、支軸３８から最も離れた外端部分に短尺状のロック杆３９が後方突成されており、該ロック杆３９は、図９（ロ）に示すように、開放ロック片３２を大入賞口２０側へ回動して進出位置に変換した状態において、開放位置にある開閉片２１の上面に当接するようになっている。さらに、開放ロック片３２の裏面には、前記ロック杆３９と支軸３８との中間部分の所定位置に長尺状の係止杆４０が後方突成されている。また、装飾用ブロック体３７ｂには、開放ロック片３２の退避位置で前記ロック杆３９と係止杆４０とが夫々上方から嵌合される嵌合溝４１，４２が形成されている。そして、開放ロック片３２を大入賞口２０側へ回動して進出位置に変換した状態において、図９（ロ）に示すように、前記係止杆４０の先端が大入賞口２０の口縁３６と係合して該開放ロック片３２を進出位置に位置保持する一方、図９（イ）に示すように、開放ロック片３２を退避位置に変換した状態において、係止杆４０が前記嵌合溝４２内に嵌入されて該開放ロック片３２を退避位置に位置保持し得るようになっている。これにより、開放ロック片３２を進出位置と退避位置で夫々位置保持する保持手段が構成されている。
【００６０】
かかる構成にあって、大入賞口ソレノイド２５（図２参照）がＯＦＦ状態にあり、開閉片２１が起立して大入賞口２０を閉鎖する閉鎖位置にある状態において、開放ロック片３２により開閉片２１を開放位置にロックする場合には、図８（イ）に示すように、開閉片２１を指等でバネ２９（図２参照）の付勢力に抗して前方に傾倒させて開放位置とした状態で、図８（ロ）に示すように、開放ロック片３２を、支軸３８を支点として大入賞口２０側へ回動させて、図８（ハ）に示すように、ロック杆３９を開閉片２１の上面に当接させることにより、係止杆４０の先端が大入賞口２０の口縁３６と係合して（図９（ロ）参照）、該開放ロック片３２が進出位置に位置保持され、開閉片２１を開放位置にロックすることができる。また、このロック状態にあって、開放ロック片３２を外側方に回動させて退避位置に変換することにより、開閉片２１の開放位置におけるロックを解除することができる。
【００６１】
尚、上記第二実施例では、開放ロック片３２を進出位置に変換した状態において、係止杆４０の先端を大入賞口２０の口縁３６に係合させて該開放ロック片３２を進出位置に位置保持する一方、開放ロック片３２を退避位置に変換した状態において、係止杆４０を装飾用ブロック体３７の嵌合溝４２内に嵌入させて該開放ロック片３２を退避位置に位置保持するようにしているが、このような開放ロック片３２の保持手段に代えて、該開放ロック片３２を金属等の重量のある素材を用いて形成し、その自重によって、進出位置と退避位置で夫々位置保持させるようにしてもよい。
【００６２】
図１０〜図１２は、第三実施例を示し、この実施例は、開放ロック片３２を側方移動可能とする他の態様として、該開放ロック片３２を左右方向に進退移動可能に設けたものである。
【００６３】
大入賞口２０の側部位置に配設される開放ロック片３２は、図１１（イ），（ロ）に示すように、所定長さの帯状片からなり、大入賞口２０の側部表面に形成した装着溝４３内に左右方向に摺動可能に装着されている。また、開放ロック片３２の外端側には上下方向に突出するストッパー部４４，４４が形成されており、装着溝４３の内端部には上下両端縁から支持縁４５，４５が対向状に突設されている。そして該支持縁４５，４５によって開放ロック片３２の前方への脱落が防止されており、かつ、開放ロック片３２の大入賞口２０側への摺動操作時に、支持縁４５，４５にストッパー部４４，４４が当接してそれ以上の移動を規制するようになっている。
【００６４】
また、開閉片２１の裏面には、図１２（イ）に示すように、開放ロック片３２側の側端部に係止縁４６が上方突成されており、該係止縁４６の後端には、図１２（ロ）に示すように、大入賞口２０側へ摺動された開放ロック片３２の前面に、バネ２９（図２参照）の付勢力を介して当接する係止面４７が形成されている。
【００６５】
かかる構成にあって、大入賞口ソレノイド２５（図２参照）がＯＦＦ状態にあり、開閉片２１が起立して大入賞口２０を閉鎖する閉鎖位置にある状態において、開放ロック片３２により開閉片２１を開放位置にロックする場合には、図１０（イ）に示すように、開閉片２１を指等でバネ２９（図２参照）の付勢力に抗して前方に傾倒させて開放位置とした状態で、図１０（ロ）に示すように、開放ロック片３２を大入賞口２０側へ摺動させて進出位置に変換することにより、開閉片２１を開放位置にロックすることができる。また、このロック状態にあって、開放ロック片３２を外側方に摺動させて退避位置に変換することにより、開閉片２１の開放位置におけるロックを解除することができる。
【００６６】
図１３，図１４は、第四実施例を示し、この実施例は、内部を特別図柄始動領域１４とする可変入賞装置１３（図１参照）の開閉片１５，１５を、開放ロック片３２によって開放位置にロックし得るようにしたものである。ここで、可変入賞装置１３の開閉片１５，１５は、該可変入賞装置１３を構成する前面板４８の後方で、入賞口１６に側方回動可能に設けられており、上述した普通電動役物ソレノイド２６がＯＮ状態となると、プランジャ（図示省略）の作動によって外側方へ回動駆動されて傾倒し、図１３（ロ）に示すように、略倒ハ字形に拡開して入賞口１６を開放する開放位置に変換される一方、普通電動役物ソレノイド２６がＯＦＦ状態となると、プランジャを非作動位置に復帰させるバネ（図示省略）の付勢作用を介して、開閉片１５，１５が内側方へ回動駆動され、図１３（イ）に示すように、起立して入賞口１６を閉鎖する閉鎖位置に変換されるようになっている。
【００６７】
可変入賞装置１３の前面板４８には、杆状に形成された開放ロック片３２の基端部４９ａが支軸５０により回動可能に枢結されており、該支軸５０を支点として開放ロック片３２を水平に回動させることにより、先端部４９ｂ側が、開放位置にある開閉片１５，１５の一方の開閉片１５（図示した例では右側の開閉片１５）の上面に当接して該開閉片１５，１５を開放位置にロックする進出位置と、該進出位置から退避する退避位置とに変換可能に設けられている。
【００６８】
かかる構成にあって、普通電動役物ソレノイド２６がＯＦＦ状態にあり、図１３（イ）に示すように、開閉片１５，１５が起立して入賞口１６を閉鎖する閉鎖位置にある状態において、開放ロック片３２により開閉片１５，１５を開放位置にロックする場合には、普通電動役物ソレノイド２６が具備するバネの付勢力に抗して何れか一方の開閉片１５を指等で外側方へ回動させると、他方の開閉片１５も連動して外側方に回動することとなる。そして、このように、開閉片１５，１５を開放位置まで回動させた状態で、図１４（イ）に示す退避位置にある開放ロック片３２を後方向に回動させて、図１４（ロ）に示すように、その先端部４９ｂ側を開閉片１５の上面に当接させることにより、図１３（ロ）に示すように、開閉片１５，１５を開放位置にロックすることができる。また、このロック状態にあって、開放ロック片３２の先端部４９ｂ側を前方向に回動させて、開閉片１５の上面から離脱させることにより、開閉片１５，１５の開放位置におけるロックを解除することができる。
【００６９】
尚、この第四実施例の構成は、大当りとしての特別遊技作動時に、左右の開閉片が外側方に拡開駆動されて開閉ラウンドを実行する可変入賞装置に適用することも可能である。
【００７０】
また、上記各実施例では、本発明を第一種パチンコ遊技機に適用した場合について説明したが、本発明は大入賞口、普通電動役物等の入賞口に配設された開閉片が開閉制御される可変入賞装置を備えたパチンコ遊技機であれば適用可能である。
【００７１】
【発明の効果】
本発明は、上述したように、入賞口に前後方向に沿って起倒可能に設けられた開閉片が、前方回動駆動により傾倒して入賞口を開放する開放位置と、該開放位置からの後方回動駆動により起立して入賞口を閉鎖する閉鎖位置とに変換制御される可変入賞装置を備えてなるパチンコ遊技機において、前記入賞口の側部位置に開放ロック片を側方移動可能に配設し、該開放ロック片を、入賞口側への移動操作により開放位置にある開閉片の上面に当接させて該開閉片を開放位置にロックする進出位置と、該進出位置からの外側方への移動操作により開閉片上から退避する退避位置とに変換可能に設けたことを特徴とするパチンコ遊技機であるから（請求項１）、入賞口の側部位置に配設した開放ロック片を、入賞口側への移動操作により進出位置に変換することによって、開閉片を開放位置にロックすることができる。これにより、ソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がなく、両手を使って迅速に作業を行うことが可能であり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【００７２】
前記開放ロック片を側方移動可能とする一態様として、該開放ロック片を側方回動可能に配設し、該開放ロック片を、入賞口側への回動操作により開放位置にある開閉片の上面に当接させて該開閉片を開放位置にロックする進出位置と、該進出位置からの外側方への回動操作により開閉片上から退避する退避位置とに変換可能に設けた構成（請求項２）にあっては、入賞口の側部位置に配設された開放ロック片を、入賞口側への回動操作により進出位置に変換することによって、開閉片を開放位置にロックすることができるので、請求項１の効果と同様にソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がない。これにより、両手を使って迅速に作業を行うことが可能となり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【００７３】
また、開放ロック片を、進出位置と退避位置で夫々位置保持する保持手段を備えた構成（請求項３）にあっては、進出位置における開放ロック片の位置保持により、開閉片を開放位置に確実にロックすることができる一方、退避位置における開放ロック片の位置保持により、遊技球の衝突等に起因する開放ロック片の不要の移動を防止することができる。
【００７４】
また、開放ロック片を、入賞口の側部を遮蔽する遮蔽部材によって構成するようにすれば（請求項４）、配設スペースの制限を受けたり、遊技盤面の外観を変更したりすることなく、開放ロック片を違和感なく配設することができる。
【００７５】
また、開放ロック片を、装飾部材によって構成するようにすれば（請求項５）、これによっても、配設スペースの制限を受けたり、遊技盤面の外観を変更したりすることなく、開放ロック片を違和感なく配設することができる。
【００７６】
また、本発明は、前面板の後方で、入賞口に側方回動可能に設けられた開閉片が、外側方への回動駆動により傾倒して入賞口を開放する開放位置と、該開放位置からの内側方への回動駆動により起立して入賞口を閉鎖する閉鎖位置とに変換制御される可変入賞装置を備えてなるパチンコ遊技機において、前記可変入賞装置の前面板に、開放位置にある開閉片の上面に当接して該開閉片を開放位置にロックする進出位置と、該進出位置から退避する退避位置とに変換可能な開放ロック片を設けたから（請求項６）、該開放ロック片を、開放位置にある開閉片の上面に当接する進出位置に変換することによって、開閉片を開放位置にロックすることができるので、請求項１の効果と同様にソレノイドのＯＦＦ状態において、店員が開閉片を前方傾倒させて大入賞口を開放し、該大入賞口内に遊技球を直接手で投入する作業を行う場合や、大入賞口内の特定領域スイッチの故障や誤作動等の復旧作業を行う場合に、従来のように片手で開閉片を開放位置に保持したり、線状部材による伝達部材の押圧操作をし続ける必要がない。これにより、両手を使って迅速に作業を行うことが可能となり、その作業能率が向上する。また、ソレノイドへの通電状態に関係なく開閉片を開放位置にロックすることができるため、遊技機自体の電源を切っても特定領域スイッチの故障や誤作動等の復旧作業を行うことができる。
【図面の簡単な説明】
【図１】第一実施例にかかる開放ロック片３２を備えた遊技盤１の正面図である。
【図２】（イ）は開閉片２１とその開閉駆動用の大入賞口ソレノイド２５の構成を示す斜視図、（ロ）は開閉片２１が起立状態から前方回動駆動された状態を示す作用説明図である。
【図３】遊技制御手段を構成する制御回路を示すブロック回路図である。
【図４】開閉片２１の開放位置を開放ロック片３２でロックする手順を（イ）〜（ハ）で示した説明図である。
【図５】開放ロック片３２の要部を示す斜視図である。
【図６】（イ）は保持手段により開放ロック片３２が進出位置に保持された状態、（ロ）は保持手段により開放ロック片３２が退避位置に保持された状態を示す作用説明図である。
【図７】（イ）は開閉片２１の開放位置でのロック状態を示す斜視図、（ロ）は開閉片２１の開放位置でのロック状態を示す平面図である。
【図８】（イ），（ロ）は第二実施例にかかる開放ロック片３２によって開閉片２１の開放位置をロックする手順を示した説明図、（ハ）は開放ロック片３２による開閉片２１の開放位置でのロック状態を示す平面図である。
【図９】（イ）は保持手段により開放ロック片３２が退避位置に保持された状態、（ロ）は保持手段により開放ロック片３２が進出位置に保持された状態を示す作用説明図である。
【図１０】第三実施例にかかる開放ロック片３２によって開閉片２１の開放位置をロックする手順を（イ），（ロ）で示した説明図である。
【図１１】第三実施例にかかる開放ロック片３２の要部を（イ），（ロ）で示した拡大正面図である。
【図１２】（イ）は開閉片２１を開放位置に変換した状態、（ロ）は開閉片２１の開放位置を開放ロック片３２でロックした状態を示す斜視図である。
【図１３】（イ）は、第四実施例にかかる開放ロック片３２を備えた可変入装置１３の、開閉片１５の起立状態を示す正面図、（ロ）は開閉片１５の開放位置でのロック状態を示す正面図である。
【図１４】（イ）は開閉片１５を開放位置に回動させた状態を示す側面図、（ロ）は開閉片１５の開放位置でのロック状態を示す側面図である。
【符号の説明】
１３  可変入賞装置
１５  開閉片
１６  入賞口
２０  大入賞口（入賞口）
２１  開閉片
２２  可変入賞装置
３０ａ  遮蔽部材
３１ａ  装飾部材
３２  開放ロック片
３４  係止突起（保持手段）
３５  係合孔（保持手段）
４０  係止杆（保持手段）
４２  嵌合溝（保持手段）
４８  前面板
【図１】
2004194853.tif 000003
【図２】
2004194853.tif 000004
【図３】
2004194853.tif 000005
【図４】
2004194853.tif 000006
【図５】
2004194853.tif 000007
【図６】
2004194853.tif 000008
【図７】
2004194853.tif 000009
【図８】
2004194853.tif 000010
【図９】
2004194853.tif 000011
【図１０】
2004194853.tif 000012
【図１１】
2004194853.tif 000013
【図１２】
2004194853.tif 000014
【図１３】
2004194853.tif 000015
【図１４】
2004194853.tif 000016